【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
印刷データが表わす画像領域を拡縮する拡縮処理を実行するコンピュータを、
前記印刷データが表わす画像領域の大きさ、及び、出力用紙における印刷領域の大きさを取得する第１取得手段と、
前記第１取得手段が取得した、前記印刷データが表わす画像領域の大きさ、及び、前記出力用紙における印刷領域の大きさに基づいて、前記拡縮処理において前記印刷データが表わす画像領域を拡縮するための拡縮率を取得する第２取得手段として機能させるためのプログラムであって、
前記第２取得手段により取得された、前記拡縮処理において前記印刷データが表わす画像領域を拡縮するための拡縮率に基づいて、前記印刷データが表わす画像領域を拡縮する拡縮処理が前記印刷データに施されることにより、前記拡縮処理が前記印刷データに施されることで得られる拡縮データが表わす画像領域の外枠のうち縦線と横線のいずれかが、前記出力用紙における印刷領域の外枠のうち縦線と横線のいずれかに接することを特徴とするプログラム。
【請求項２】
前記第２取得手段は、前記印刷データが表わす画像領域を拡縮するための拡縮率を、前記出力用紙における印刷領域の大きさを前記印刷データが表わす画像領域の大きさで除することで取得する請求項１に記載のプログラム。
【請求項３】
前記拡縮処理は、前記印刷データが表わす画像領域及び余白領域を含む領域である第１原稿領域を拡縮する第１拡縮処理、並びに、前記第１拡縮処理が前記印刷データに施されることで得られる第１拡縮データが表わす画像領域を拡縮する第２拡縮処理を含み、
前記第２取得手段は、前記第１取得手段が取得した、前記印刷データが表わす画像領域の大きさ及び前記出力用紙における印刷領域の大きさに基づいて、前記第２拡縮処理において前記第１拡縮データが表わす画像領域を拡縮するための拡縮率を取得し、
前記第２取得手段により取得された、前記第２拡縮処理において前記第１拡縮データが表わす画像領域を拡縮するための拡縮率に基づいて、前記第２拡縮処理が前記第１拡縮データに施されることにより、前記第１拡縮データが表わす画像領域の外枠のうち縦線と横線のいずれかが、前記出力用紙の印刷領域の外枠のうち縦線と横線のいずれかに接することを特徴とする請求項１又は請求項２に記載のプログラム。
【請求項４】
前記第２取得手段は、前記第２拡縮処理において前記第１拡縮データが表わす画像領域を拡縮するための拡縮率を、前記出力用紙における印刷領域の大きさから、前記第１拡縮データが表わす画像領域の大きさを除することで取得する請求項３に記載のプログラム。
【請求項５】
前記第１拡縮処理において前記第１原稿領域を拡縮するための拡縮率は、前記第１原稿領域の大きさ及び前記出力用紙の大きさに基づいて、一意に定められることを特徴とする請求項３又は請求項４に記載のプログラム。
【請求項６】
前記第２拡縮処理は、前記第１拡縮データが表わす画像領域及び余白領域を含む領域である第２原稿領域を拡縮することで、第２拡縮データを取得する処理であり、
前記コンピュータを、
前記第２拡縮データが表わす余白領域のうち、少なくとも一部の領域に対応するデータを、前記第２拡縮データから削除する削除手段として更に機能させることを特徴とする請求項３乃至請求項５のいずれか１項に記載のプログラム。
【請求項７】
前記削除手段は、前記第２拡縮データが表す画像領域及び余白領域を含む領域である第３原稿領域において、前記第２拡縮データが表わす画像領域以外の領域である不要領域に対応するデータを、前記第２拡縮データから削除することを特徴とする請求項６に記載のプログラム。
【請求項８】
前記削除手段は、前記第２拡縮データが表す画像領域及び余白領域を含む領域である第３原稿領域において、前記出力用紙に対応する領域以外の領域である不要領域に対応するデータを、前記第２拡縮データから削除することを特徴とする請求項６に記載のプログラム。
【請求項９】
前記コンピュータには、
前記第１拡縮処理及び前記第２拡縮処理を実行するオペレーションシステムがインストールされていることを特徴とする請求項３乃至請求項８のいずれか１項に記載のプログラム。
【請求項１０】
前記コンピュータを、
前記第２取得手段が取得した前記拡縮率を、前記オペレーションシステムが利用する情報であるシステム属性として設定する設定手段として更に機能させることを特徴とする請求項９に記載のプログラム。
【請求項１１】
前記コンピュータを、
前記印刷データが表わす画像領域及び余白領域を含む領域である第１原稿領域の大きさ及び前記出力用紙の大きさの入力を受け付ける第１受け付け手段として、更に機能させることを特徴とする請求項１乃至１０のいずれか１項に記載のプログラム。
【請求項１２】
前記コンピュータを、
前記拡縮処理を実行するか否かの入力を受け付ける第２受け付け手段として、更に機能させ、
前記第２取得手段は、前記第２受け付け手段が、前記拡縮処理を実行することの入力を受け付けた場合、前記第１取得手段が取得した、前記印刷データが表わす画像領域の大きさ及び前記出力用紙における印刷領域の大きさに基づいて、前記拡縮処理において前記印刷データが表わす画像領域を拡縮するための拡縮率を取得し、前記第２受け付け手段が、前記拡縮処理を実行することの入力を受け付けていない場合、前記拡縮処理において前記印刷データが表わす画像領域を拡縮するための拡縮率を取得しないことを特徴とする請求項１乃至１１のいずれか１項に記載のプログラム。
【請求項１３】
前記プログラムは、プリンタドライバであることを特徴とする請求項１乃至１２のいずれか１項に記載のプログラム。
【請求項１４】
印刷データが表わす画像領域を拡縮する拡縮処理を実行するコンピュータの制御方法であって、
前記印刷データが表わす画像領域の大きさ、及び、出力用紙における印刷領域の大きさを取得する第１取得ステップと、
前記取得された前記印刷データが表わす画像領域の大きさ、及び、前記出力用紙における印刷領域の大きさに基づいて、前記拡縮処理において前記印刷データが表わす画像領域を拡縮するための拡縮率を取得する第２取得ステップと、を有し
前記取得された、前記拡縮処理において前記印刷データが表わす画像領域を拡縮するための拡縮率に基づいて、前記印刷データが表わす画像領域を拡縮する拡縮処理が前記印刷データに施されることにより、前記拡縮処理が前記印刷データに施されることで得られる拡縮データが表わす画像領域の外枠のうち縦線と横線のいずれかが、前記出力用紙における印刷領域の外枠のうち縦線と横線のいずれかに接することを特徴とする制御方法。
【請求項１５】
印刷データが表わす画像領域を拡縮する拡縮処理を実行する情報処理装置であって、
前記印刷データが表わす画像領域の大きさ、及び、出力用紙における印刷領域の大きさを取得する第１取得手段と、
前記第１取得手段が取得した、前記印刷データが表わす画像領域の大きさ、及び、前記出力用紙における印刷領域の大きさに基づいて、前記拡縮処理において前記印刷データが表わす画像領域を拡縮するための拡縮率を取得する第２取得手段と、を有し、
前記第２取得手段により取得された、前記拡縮処理において前記印刷データが表わす画像領域を拡縮するための拡縮率に基づいて、前記印刷データが表わす画像領域を拡縮する拡縮処理が前記印刷データに施されることにより、前記拡縮処理が前記印刷データに施されることで得られる拡縮データが表わす画像領域の外枠のうち縦線と横線のいずれかが、前記出力用紙における印刷領域の外枠のうち縦線と横線のいずれかに接することを特徴とする情報処理装置。